(57)【特許請求の範囲】
【請求項１】
口頚部７を起立した容器体２と、口頚部７外周に嵌合させた装着筒８上端より内方へ頂壁９を延設するとともに、頂壁９中央部に下端を開口した飲用ノズル10を上方へ立設してなる栓本体３と、飲用ノズル10に穿設した外気導入孔14上方のノズル内周面に頂板15の周縁部を嵌着固定するとともに、該頂板にスリット16を穿設し、且つ、頂板周縁部より飲用ノズル10内面と隙間をあけて垂設し下方へ延びた後外方へ傾斜下降する環状弁板17の下端縁を外気導入孔14下方のノズル内周面に圧接してなる弁部材４とを備えてなることを特徴とする飲料容器。
【請求項２】
圧搾可能な胴部５より口頚部７を起立した容器体２と、口頚部７外周に嵌合させた装着筒８上端より内方へ頂壁９を延設するとともに、頂壁９中央部に下端を開口した注出筒22を上方へ立設し、且つ、注出筒22先端中央に液の流通が可能に棒栓23を突出支持してなる栓本体３と、注出筒22に穿設した外気導入孔14上方の注出筒22内面に頂板15の周縁部を嵌着固定するとともに、該頂板にスリット16を穿設し、且つ、頂板周縁部より注出筒22内面と隙間をあけて垂設し下方へ延びた後外方へ傾斜下降する環状弁板17の下端縁を外気導入孔14下方の注出筒内周面に圧接してなる弁部材４と、注出筒22外周に所定幅の摺動上昇が可能に下部を嵌合させるとともに、上端縁より内方へ突設したシール突条26内周縁を棒栓23外周上部に密嵌させた可動飲用ノズル10A とを備えてなることを特徴とする飲料容器。
【請求項３】
上記可動引用ノズル10A 上部を開閉可能に被覆した伏皿状をなすとともに、後部を薄肉ヒンジ31を介して可動引用ノズル後部に回動可能に連結した蓋板30を設けてなる請求項２記載の飲料容器。
【発明の詳細な説明】
【０００１】
【発明の属する技術分野】
本発明は飲料容器に関する。
【０００２】
【従来の技術】
従来飲料容器では、ボトルタイプの容器体の口頚部に通常形態のキャップ、即ち、口頚部外周に螺着させた周壁上端縁より頂壁を延設したものを装着して構成されたものが極一般に使用されている。これらは、収納液を飲む場合に口頚部に直接口を付けて行うか、或いは別に添付されたストローを用いて行う。
【０００３】
直接飲む場合には液をこぼし易く、また、一旦口に含んだ液が容器体内に戻るという不都合を生じ易く、特に、高齢者，子どもの場合には顕著である。ストローを使う場合にはその様な不都合は少ないが、ストローを別に用意しなければならないという不都合がある。そして、ストローを容器体に取り付ける手段が必要となり、また、一旦開封して内容液の一部を飲んだ後ストローを同時に携えていなければならず、その紛失の虞もある。また、従来容器では体の弱い伏せがちな人が寝ながら飲む場合にも不向きであった。
【０００４】
【発明が解決しようとする課題】
本発明は上記した点に鑑みなされたもので、一旦開封して内容液の一部を飲んだ後再び保管しておくことができ、また、収納液を飲む場合に液をこぼす等の不都合が少なく、一旦口に含んだ液が容器体内に戻るのを防止でき、しかも携帯に便利である等種々の利点を備えた飲料容器を提案するものである。
【０００５】
【課題を解決するための手段】
本請求項１発明の容器は、上記課題を解決するため、口頚部７を起立した容器体２と、口頚部７外周に嵌合させた装着筒８上端より内方へ頂壁９を延設するとともに、頂壁９中央部に下端を開口した飲用ノズル10を上方へ立設してなる栓本体３と、飲用ノズル10に穿設した外気導入孔14上方のノズル内周面に頂板15の周縁部を嵌着固定するとともに、該頂板にスリット16を穿設し、且つ、頂板周縁部より飲用ノズル10内面と隙間をあけて垂設し下方へ延びた後外方へ傾斜下降する環状弁板17の下端縁を外気導入孔14下方のノズル内周面に圧接してなる弁部材４とを備えてなることを特徴とする飲料容器として構成した。
【０００６】
また、請求項２発明の容器は、圧搾可能な胴部５より口頚部７を起立した容器体２と、口頚部７外周に嵌合させた装着筒８上端より内方へ頂壁９を延設するとともに、頂壁９中央部に下端を開口した注出筒22を上方へ立設し、且つ、注出筒22先端中央に液の流通が可能に棒栓23を突出支持してなる栓本体３と、注出筒22に穿設した外気導入孔14上方の注出筒22内面に頂板15の周縁部を嵌着固定するとともに、該頂板にスリット16を穿設し、且つ、頂板周縁部より注出筒22内面と隙間をあけて垂設し下方へ延びた後外方へ傾斜下降する環状弁板17の下端縁を外気導入孔14下方の注出筒内周面に圧接してなる弁部材４と、注出筒22外周に所定幅の摺動上昇が可能に下部を嵌合させるとともに、上端縁より内方へ突設したシール突条26内周縁を棒栓23外周上部に密嵌させた可動飲用ノズル10A とを備えてなることを特徴とする飲料容器として構成した。
【０００７】
また、請求項３発明の容器は、上記可動引用ノズル10A 上部を開閉可能に被覆した伏皿状をなすとともに、後部を薄肉ヒンジ31を介して可動引用ノズル後部に回動可能に連結した蓋板30を設けてなる請求項２記載の飲料容器として構成した。
【０００８】
【発明の実施の形態】
以下、本発明の実施例の形態を図面を参照して説明する。
【０００９】
本請求項１発明の飲料容器１は、容器体２と、栓本体３と、弁部材４とを備えている。
【００１０】
容器体２は合成樹脂、ガラス等で形成されたボトルタイプのものが使用でき、口頚部外周に注出栓係止用の係止突条や螺条を周設したものが使用できる。図示例に於ける容器体２は、胴部５より肩部６を介して口頚部７を起立しており、胴部５は弾性圧搾が可能に構成しており、口頚部７外周上部には螺条を周設している。尚、胴部が弾性圧搾できない容器体を使用する場合には、後述するストローで収納液を吸引する。
【００１１】
栓本体３は、合成樹脂等により形成されたものであり、口頚部７外周に嵌合させた装着筒８上端縁より内方へ頂壁９を延設するとともに、頂壁中央部に基端を開口して上方へ飲用ノズル10を立設している。栓本体３は、図示例の如く、その装着筒８内面に螺条を周設して容器体口頚部外周に螺着させたものに限らず、例えば、その内周面に周設した突条を容器体口頚部外周面に周設した突条に乗り越え係合させて嵌合しても良い。
【００１２】
また、頂壁９内周縁から下方へ垂設したシール筒11を口頚部７内周に密嵌させて、この部分からの液の漏出防止を図っている。尚、この部分の液の漏出防止手段として、図示例以外の方法を採用することも可能であり、例えば、頂壁９を口頚部７上面に圧接する方法、或いは、頂壁９と口頚部７との間にパッキンを介在させる方法、或いは装着筒内周面に口頚部外周面と密嵌する嵌合突部を形成する方法等種々採用できる。
【００１３】
飲用ノズル10は、その部分をくわえて収納液を飲むためのものであり、従って、それに適した径を選択する。図示例に於いて飲用ノズル10は、下部を大径部10a に、上部を小径部10b に、それぞれ形成し、上端縁より頂板12を介して下方へ、弁部材４の後述する頂板を係止する係止筒13を垂設している。
【００１４】
弁部材４は、エラストマー等の柔軟で弾力性に富む材質により形成されたもので、飲用ノズル10に穿設した外気導入孔14上方のノズル内周面に頂板15の周縁部を嵌着固定するとともに、該頂板12にスリット16を穿設し、且つ、頂板12周縁部より飲用ノズル10内面と隙間をあけて垂設した環状弁板17下端縁を外気導入孔14下方のノズル内周面に圧接して構成している。
【００１５】
スリット16は、容器体胴部５を圧搾した際に液圧で開くものであれば、或いは、ストローを上方から差し込むことができるものであれば、その形状は種々選択できるが、図２に示す如き平面視十字形状のものが好ましく採用できる。但し、これに限られず、平面視−形状のものや放射状に五本以上の切り込みを設けたものであっても良い。
【００１６】
図示例に於ける弁部材４は、図２に示す如く、ドーム状の頂板15の周縁部よりフランジ18を突設し、また、頂板15周縁部下面より下方に延びた後外方へ傾斜下降する環状弁板17を延設して構成している。そして、飲用ノズル10の大径部10a 内周面上端部に周設した環状凹部19にフランジ18を嵌着固定するとともに、環状弁板17下端縁を外気導入孔14下方の飲用ノズル10内周面に圧接して装着している。また、飲用ノズル10の大径部10a 外周に周壁下部を着脱可能に嵌合させたキャップ20を設けている。尚、キャップ20は飲用ノズル10を被覆してノズルにゴミ等の付着を防止するものであれば良い。
【００１７】
上記の如く構成した飲料容器１を使用する場合について一例を説明すると、図１に示す状態からキャップ20を外した後飲用ノズル10をくわえて容器を傾けつつ胴部５を圧搾すれば液圧でスリット16が開き、容器体内の液を係止筒13内を介して吸引することができる。この際、係止筒13の存在でスリット部分の頂板15が必要以上にめくれあがる等の不都合を防止する如く構成している。胴部５の圧搾を解除するとスリット16が閉じるため、一旦ドーム状頂壁９上方へ出た液は容器体内には戻らない様構成している。また、容器体は弾性復元力により胴部５内が負圧化するため、外気導入孔14より環状弁板17を開いて外気が容器体内に導入される。
【００１８】
また、本発明の飲料容器は、図３に示す如く、ストロー21を使用して収納液を吸引することもできる。この場合には、飲用ノズル10の上端開口よりストロー21を押しこみスリット16をストロー21により押し開いて容器体内まで挿入し吸引することができる。この場合には胴部が圧搾可能でない容器体を使用することができ、その場合、液の吸引に伴って負圧化する容器体内上部へ、環状弁板17をひらいて順次外気が導入される。
【００１９】
図４乃至図６は本請求項２発明の一実施例を示すもので、本発明の飲料容器１は、容器体２と、栓本体３と、弁部材４と、可動飲用ノズル10A とを備えている。
【００２０】
容器体２は上記実施例のものと同様である。また、栓本体３は合成樹脂等により形成されたもので、口頚部７外周に嵌合させた装着筒８上端より内方へ頂壁９を延設するとともに、頂壁９中央部に下端を開口した注出筒22を上方へ立設し、且つ、注出筒22先端中央に液の流通が可能に棒栓23を突出支持している。
【００２１】
本発明に於ける栓本体３も、その装着筒８を図示例の如く螺着する場合に限らず、突条相互の乗り越え係合による抜け出し防止を図って嵌着することができる。また、図示例では、頂壁９裏面を口頚部７上面に圧接することにより、この部分からの液漏れの防止を図っているが、上記実施例の如く、頂壁裏面より垂設したシール筒を口頚部内面に密嵌する如く構成しても、或いは、パッキンを頂壁裏面と口頚部上面との間に介在させても良い。また、注出筒22は下部を大径部22a に、上部を小径部22b に形成しており、小径部22b の内面上端よりそれぞれ中心に向かって周方向複数の連結片24を突設し、各連結片24の先端を棒栓23の外周下端部に一体に連結している。
【００２２】
また、本実施例では容器体２の口頚部７上端に、保管時或いは流通の際のより確実な液の漏出防止を目的として、中栓25を装着している。図示例の中栓25は、合成樹脂等により形成されたもので、口頚部７内周上端に嵌合筒を液密に嵌着するとともに、嵌合筒上端縁より延設したフランジを口頚部７上面に当接係止して容器体２に装着している。また、嵌合筒下端縁からは蓋板を延設して口頚部７開口を閉塞している。尚、この中栓は必ずしも設けなくても良いが、設ける場合には図１の実施例の如きシール筒による液漏れ防止手段を採用できない。また、この中栓は図１の実施例にも応用できる。
【００２３】
弁部材４は、注出筒22に穿設した外気導入孔14上方の注出筒22内周面に頂板15の周縁部を嵌着固定するとともに、該頂板12にスリット16を穿設し、且つ、頂板12周縁部より注出筒22内面と隙間をあけて垂設した環状弁板17下端縁を外気導入孔14下方の注出筒内面に圧接して構成しており、図２の実施例と同様形態をなしている。本実施例では上記実施例の飲用ノズル10への嵌合固定と同様に注出筒22に嵌合固定している。
【００２４】
可動飲用ノズル10A は、注出筒22外周に所定幅の摺動上昇が可能に下部を嵌合させるとともに、上端縁より内方へ突設したシール突条26内周縁を棒栓23外周上部に密嵌させて構成している。図示例では、外周上下方向中間部にフランジ部27を周設し、該フランジ部上方を二段に縮径して構成している。また、注出筒22の小径部22b 外周上端に係止突条28を突周設し、ノズル内周面上下方向中間部に係合突条29を突周設し、注出筒外周最下降位置に嵌合した位置から、係合突条29が係止突条28に当接係止されるまでの摺動上昇が可能に構成している。また、可動飲用ノズル10A が最下降位置から上昇した際に、棒栓23とシール突条26とのシールが解除され、この部分からの液の流出が可能となる如く構成している。
【００２５】
可動飲用ノズル10A には蓋板30を一体に設けている。蓋板30は、可動飲用ノズル10A のフランジ部27後部に薄肉ヒンジ31を介して後部下端部を回動可能に連結し、可動飲用ノズル上部を開閉可能に被覆した伏皿状をなしている。
【００２６】
上記の如く構成した飲料容器１を使用する場合について図４の例を説明すると、運搬，保管時等の内容液を使用しない場合には図４に示す如く中栓25を装着した状態で行う。使用の際には、図４に示す状態から栓本体３を可動飲用ノズル10A ごと外した後、中栓25を取り外し、次いで、再び可動飲用ノズル10A 付きの栓本体３を装着して使用する。使用時には図５に示す如く可動飲用ノズル10A を引き上げて棒栓23とシール突条26との係合を外し、次いで図６に示す如く蓋板30を開き、可動飲用ノズル10A をくわえて、容器体胴部を圧搾すれば液圧でスリット16が開き棒栓23とシール突条26との間から液を吸引できる。胴部５の圧搾を解除するとスリット16が閉じ、弾性復元力により胴部５内が負圧化するため、外気導入孔14より環状弁板17を開いて外気が容器体内に導入される。
【００２７】
【発明の効果】
以上説明した如く本発明の飲料容器は、既述構成としたことにより、収納液の部分的、段階的使用が可能であり、特に、外出等の携帯時に開封後全部を使い切らないで持ち運びできる便利がある。また、一旦口に含んだ液は少なくとも頂板15上に止まり容器体内に戻るという不都合を生じない。また、環状弁板17と外気導入孔14の存在で、液注出後容器体内へ順次置換空気が導入されるため、円滑な連続吸引が可能となる。更に、寝ながら収納液を吸引できる利点もある。
【００２８】
また、請求項１発明の容器では、胴部の圧搾が出来ない容器体を使用した場合にもストローにより収納液を吸引できる便利がある。
【００２９】
また、請求項２発明の容器では、非使用時にスリット16部分に於ける液の遮断の他、棒栓23とシール突条26との二重の液の遮断を行えため、誤って胴部を圧搾した場合にもより確実に液の漏出を防止できる利点を兼ね備えている。
【００３０】
また、請求項３発明の容器では、飲用ノズルへのゴミ等の付着を極力防止でき、しかも使用中に蓋板30がなくなるという不都合がないという利点を兼ね備えている。
【図面の簡単な説明】
【図１】本請求項１発明の一実施例を示す一部切欠き側面図である。
【図２】同実施例の弁部材の一例を示す斜視図である。
【図３】同実施例の斜視図である。
【図４】本請求項２発明の一実施例を示す一部切欠き側面図である。
【図５】同実施例の中栓を取り除いた状態の一部切欠き側面図である。
【図６】同実施例の使用時の一部切欠き側面図である。
【符号の説明】
２…容器体，３…栓本体，４…弁部材，７…口頚部，８…装着筒，
９…頂壁，10…飲用ノズル，10A …可動飲用ノズル，12…頂板，
14…外気導入孔，15…頂板，16…スリット，17…環状弁板，22…注出筒，
23…棒線，26…シール突条
【図１】
0003904788.tif 000002
【図２】
0003904788.tif 000003
【図３】
0003904788.tif 000004
【図４】
0003904788.tif 000005
【図５】
0003904788.tif 000006
【図６】
0003904788.tif 000007